(57)【特許請求の範囲】
【請求項１】
交流電圧から直流電圧を生成し、負荷に出力する出力手段と、
交流電源と前記出力手段との接続状態を切り替える切替手段と、
前記切替手段を制御して、前記出力手段から前記負荷への電力の供給及び供給停止を行う制御手段と、
前記出力手段の起動及び停止を指示する指示手段と、
を備える電源装置であって、
前記制御手段は、前記指示手段による、前記出力手段の停止の指示を検知すると、前記出力手段に入力される前記交流電源の前記交流電圧に応じた第一の時間が経過した後、前記切替手段により前記交流電源と前記出力手段との接続を遮断し、前記負荷への電力供給を停止することを特徴とする電源装置。
【請求項２】
前記交流電源及び前記出力手段から供給される電力を蓄電する蓄電手段を備え、
前記蓄電手段は、前記制御手段及び前記切替手段に電力を供給することを特徴とする請求項１に記載の電源装置。
【請求項３】
前記制御手段は、前記指示手段による、前記出力手段の停止の指示を検知すると、前記出力手段を、前記負荷への電力供給量を低減した第一の状態に遷移させることを特徴とする請求項１又は請求項２に記載の電源装置。
【請求項４】
前記制御手段は、前記第一の時間が経過する前に、前記指示手段による、前記出力手段の起動の指示を検知すると、前記切替手段による前記交流電源と前記出力手段とを接続したまま、前記出力手段を前記第一の状態から前記負荷への電力供給量を低減しない第二の状態に遷移させることを特徴とする請求項３に記載の電源装置。
【請求項５】
前記第一の時間は、前記電源装置が前記第一の状態における消費電力が、前記出力手段が停止している第三の状態で前記電源装置が所定の時間に消費する電力量と等しくなる時間であることを特徴とする請求項４に記載の電源装置。
【請求項６】
記憶手段を備え、
前記記憶手段には、前記交流電源から入力される前記交流電圧の情報と、前記交流電圧に対応する前記第一の時間の情報とが、記憶されていることを特徴とする請求項５に記載の電源装置。
【請求項７】
前記交流電源から入力される前記交流電圧を検知する第一の検知手段を備え、
前記制御手段は、前記第一の検知手段より前記交流電圧を取得し、取得した前記交流電圧と、前記記憶手段に記憶された前記交流電圧の情報及び前記第一の時間の情報と、に基づいて、前記第一の時間を決定することを特徴とする請求項６に記載の電源装置。
【請求項８】
前記記憶手段は、前記交流電源から入力される前記交流電圧の情報と、前記切替手段により前記交流電源と前記出力手段との接続が遮断されてから、前記出力手段により出力される電圧が所定の電圧以下に低下するまでの第二の時間の情報と、を記憶し、
前記制御手段は、前記出力手段が出力する電圧を検知する第二の検知手段と、時間を測定する計測手段と、を有し、
前記第二の検知手段による検知結果と前記計測手段による計測結果とに基づいて前記第二の時間を取得し、取得した前記第二の時間と、前記記憶手段に記憶された前記交流電圧の情報及び前記第二の時間の情報と、に基づいて、前記交流電圧を決定することを特徴とする請求項６に記載の電源装置。
【請求項９】
前記制御手段は、前記決定された交流電圧と、前記記憶手段に記憶された前記交流電圧の情報及び前記第一の時間の情報と、に基づいて、前記第一の時間を決定することを特徴とする請求項８に記載の電源装置。
【請求項１０】
前記指示手段は、ユーザによって操作されるスイッチ、外部装置からの指示信号、又はタイマのいずれかを含むことを特徴とする請求項１から請求項９のいずれか１項に記載の電源装置。
【請求項１１】
前記切替手段は、リレーであることを特徴とする請求項１から請求項１０のいずれか１項に記載の電源装置。
【請求項１２】
前記切替手段は、双方向サイリスタであることを特徴とする請求項１から請求項１０のいずれか１項に記載の電源装置。
【請求項１３】
記録材に画像形成を行う画像形成手段と、
請求項１から請求項１２のいずれか１項に記載の電源装置と、
を備えることを特徴とする画像形成装置。
【請求項１４】
交流電圧から直流電圧を生成し、負荷に出力する出力手段と、
交流電源と前記出力手段との接続状態を切り替える切替手段と、
前記切替手段を制御して、前記出力手段から前記負荷への電力の供給及び供給停止を行う制御手段と、
を有する電源装置と、
記録材に画像形成を行う画像形成手段と、
前記画像形成手段を制御するコントローラと、
を備え、画像形成を行う画像形成状態と、前記画像形成状態よりも消費電力量が少ないスリープ状態で動作可能な画像形成装置であって、
前記コントローラは、画像形成を行わない場合には、前記スリープ状態に遷移するために前記制御手段に前記出力手段の停止を指示し、
前記制御手段は、前記出力手段の停止の指示を検知すると、前記出力手段に入力される前記交流電源の前記交流電圧に応じた第一の時間が経過した後、前記切替手段により前記交流電源と前記出力手段との接続を遮断し、前記負荷への電力供給を停止することを特徴とする画像形成装置。
【請求項１５】
前記電源装置は、前記交流電源及び前記出力手段から供給される電力を蓄電する蓄電手段を備え、
前記蓄電手段は、前記制御手段及び前記切替手段に電力を供給することを特徴とする請求項１４に記載の画像形成装置。
【請求項１６】
前記制御手段は、前記出力手段の停止の指示を検知すると、前記出力手段を、前記負荷への電力供給量を低減した第一の状態に遷移させることを特徴とする請求項１４又は請求項１５に記載の画像形成装置。
【請求項１７】
前記制御手段は、前記第一の時間が経過する前に、前記コントローラからの前記出力手段の起動の指示を検知すると、前記切替手段による前記交流電源と前記出力手段とを接続したまま、前記出力手段を前記第一の状態から前記負荷への電力供給量を低減しない第二の状態に遷移させることを特徴とする請求項１６に記載の画像形成装置。
【請求項１８】
前記第一の時間は、前記電源装置が前記第一の状態における消費電力が、前記出力手段が停止している第三の状態で前記電源装置が所定の時間に消費する電力量と等しくなる時間であることを特徴とする請求項１６に記載の画像形成装置。
【請求項１９】
前記電源装置は、記憶手段を備え、
前記記憶手段には、前記交流電源から入力される前記交流電圧の情報と、前記交流電圧に対応する前記第一の時間の情報とが、記憶されていることを特徴とする請求項１８に記載の画像形成装置。
【請求項２０】
前記電源装置は、前記交流電源から入力される前記交流電圧を検知する第一の検知手段を備え、
前記制御手段は、前記第一の検知手段より前記交流電圧を取得し、取得した前記交流電圧と、前記記憶手段に記憶された前記交流電圧の情報及び前記第一の時間の情報と、に基づいて、前記第一の時間を決定することを特徴とする請求項１９に記載の画像形成装置。
【請求項２１】
前記記憶手段は、前記交流電源から入力される前記交流電圧の情報と、前記切替手段により前記交流電源と前記出力手段との接続が遮断されてから、前記出力手段により出力される電圧が所定の電圧以下に低下するまでの第二の時間の情報と、を記憶し、
前記制御手段は、前記出力手段が出力する電圧を検知する第二の検知手段と、時間を測定する計測手段と、を有し、
前記第二の検知手段による検知結果と前記計測手段による計測結果とに基づいて前記第二の時間を取得し、取得した前記第二の時間と、前記記憶手段に記憶された前記交流電圧の情報及び前記第二の時間の情報と、に基づいて、前記交流電圧を決定することを特徴とする請求項１９に記載の画像形成装置。
【請求項２２】
前記制御手段は、前記決定された交流電圧と、前記記憶手段に記憶された前記交流電圧の情報及び前記第一の時間の情報と、に基づいて、前記第一の時間を決定することを特徴とする請求項２１に記載の画像形成装置。
【請求項２３】
前記切替手段は、リレーであることを特徴とする請求項１４から請求項２２のいずれか１項に記載の画像形成装置。
【請求項２４】
前記切替手段は、双方向サイリスタであることを特徴とする請求項１４から請求項２２のいずれか１項に記載の画像形成装置。
【発明の詳細な説明】
【技術分野】
【０００１】
本発明は、電源装置及び電源装置を備えた画像形成装置に関する。
【背景技術】
【０００２】
画像形成装置は、商用交流電源から入力された交流電圧から直流電圧を生成し、画像形成装置内に電力を供給する電源装置を備えている。電源装置は、画像形成装置の状態に応じて、例えば所定時間、画像形成を行わない場合に遷移する省電力状態であるスリープ状態では、電力の供給停止を行い、電源装置における消費電力を低減させる。例えば特許文献１では、電源装置は蓄電回路を有し、負荷へ出力する電圧を生成するスイッチング電源部と商用交流電源との間に設けられたリレーを、蓄電回路から供給された電力により切断する。これにより、商用交流電源からスイッチング電源部への電力供給が停止され、電源装置における消費電力の低減を行う技術が開示されている。
【先行技術文献】
【特許文献】
【０００３】
【特許文献１】特開２０１４−１５０６４３号公報
【発明の概要】
【発明が解決しようとする課題】
【０００４】
上述したように、画像形成装置を省電力状態に遷移させる場合や、画像形成装置の電源スイッチがオフされた場合等には、電源装置は、リレーを切断して商用交流電源からスイッチング電源部への電力供給を停止する動作を行う。ところが、電源装置が、リレーを切断した直後に、画像形成を行う通常状態へ遷移するイベントや、電源スイッチをオンする操作が発生した場合には、次のような課題が生じる。即ち、電源装置は、スイッチング電源部にて電圧生成を行うために、再度、リレーを接続し、商用交流電源からスイッチング電源部に電力供給を行うが、その際、リレーの接点が安定した状態になるまでに所定の待ち時間が必要になる。更に、スイッチング電源部において、入力された交流電圧を整流し、整流された直流電圧の平滑コンデンサへの充電や、出力電圧が所定の電圧まで上昇するための時間も要するので、待ち時間が更に長くなる。そのため、省電力状態から通常状態へ短時間で遷移可能な構成を有する電源装置が求められていた。
【０００５】
本発明は、このような状況のもとでなされたもので、省電力状態から通常状態へ短時間で遷移させることを目的とする。
【課題を解決するための手段】
【０００６】
前述の課題を解決するために、本発明は、以下の構成を備える。
【０００７】
（１）交流電圧から直流電圧を生成し、負荷に出力する出力手段と、交流電源と前記出力手段との接続状態を切り替える切替手段と、前記切替手段を制御して、前記出力手段から前記負荷への電力の供給及び供給停止を行う制御手段と、前記出力手段の起動及び停止を指示する指示手段と、を備える電源装置であって、前記制御手段は、前記指示手段による、前記出力手段の停止の指示を検知すると、前記出力手段に入力される前記交流電源の前記交流電圧に応じた第一の時間が経過した後、前記切替手段により前記交流電源と前記出力手段との接続を遮断し、前記負荷への電力供給を停止することを特徴とする電源装置。
【０００８】
（２）記録材に画像形成を行う画像形成手段と、前記（１）に記載の電源装置と、を備えることを特徴とする画像形成装置。
【０００９】
（３）交流電圧から直流電圧を生成し、負荷に出力する出力手段と、交流電源と前記出力手段との接続状態を切り替える切替手段と、前記切替手段を制御して、前記出力手段から前記負荷への電力の供給及び供給停止を行う制御手段と、を有する電源装置と、記録材に画像形成を行う画像形成手段と、前記画像形成手段を制御するコントローラと、を備え、画像形成を行う画像形成状態と、前記画像形成状態よりも消費電力量が少ないスリープ状態で動作可能な画像形成装置であって、前記コントローラは、画像形成を行わない場合には、前記スリープ状態に遷移するために前記制御手段に前記出力手段の停止を指示し、前記制御手段は、前記出力手段の停止の指示を検知すると、前記出力手段に入力される前記交流電源の前記交流電圧に応じた第一の時間が経過した後、前記切替手段により前記交流電源と前記出力手段との接続を遮断し、前記負荷への電力供給を停止することを特徴とする画像形成装置。
【発明の効果】
【００１０】
本発明によれば、省電力状態から通常状態へ短時間で遷移させることができる。
【図面の簡単な説明】
【００１１】
【図１】実施例１の電源装置の回路構成を示すブロック図
【図２】実施例１〜３のリレー制御に関する時間データ、及び算出方法を説明する図
【図３】実施例１〜３のスイッチング電源部が停止するまでの時間を計測する制御シーケンスを示すフローチャート
【図４】実施例１〜３のリレーの制御シーケンスを示すフローチャート
【図５】実施例１〜３の電源装置の制御動作を説明するタイムチャート
【図６】実施例２の電源装置の回路構成を示すブロック図
【図７】実施例３のレーザビームプリンタの概略断面図
【発明を実施するための形態】
【００１２】
以下に、図面を参照して本発明の実施の形態について詳細に説明する。
【実施例１】
【００１３】
［電源装置の構成］
図１は、実施例１の電源装置１００の回路構成を表したブロック図である。図１において、商用交流電源１から入力された交流電圧は、リレー２を介して、スイッチング電源部６に供給される。出力手段であるスイッチング電源部６は、ブリッジダイオード３、平滑コンデンサ４、スイッチング部５から構成される。整流部であるブリッジダイオード３は、商用交流電源１から入力される交流電圧を全波整流し、全波整流された直流電圧は平滑コンデンサ４により平滑される。スイッチング部５は、平滑コンデンサ４で平滑化された直流電圧をスイッチング動作にて電圧Ｖｃｃの直流電圧に変換して出力し、出力された直流電圧は電源装置１００に接続された負荷に供給される。
【００１４】
制御手段である制御部７は、不図示のＣＰＵ（中央演算処理装置）、ＲＯＭ、ＲＡＭが一体となった構成である。ＲＯＭには、ＣＰＵが実行する動作手順やデータが保持されており、ＲＡＭは、ＣＰＵが一時的に情報を保持するのに使用される。制御部７は、例えば、信号の入出力機能も含んだマイクロコンピュータ等であってもよい。また、制御部７は、時間計測を行うためのタイマ７ａを有している。記憶手段であるメモリ８は、制御部７に接続された不揮発性メモリである。制御部７は、ＩＮ端子、ＳＷ端子、ＲＬＤ端子、ＶＤＤ端子を有している。ＩＮ端子には、スイッチング部５から出力された電圧Ｖｃｃが入力され、制御部７は、電圧Ｖｃｃの電圧値を検知することができる。また、ＶＤＤ端子には、蓄電部１０から出力される電圧ＶＤＤが入力され、ＳＷ端子には、スイッチ１３の状態に応じて、ＯＮ（ハイレベル）又はＯＦＦ（ローレベル）の信号が入力され、ＲＬＤ端子からは、リレー２を制御するＲＬＤ信号が出力される。
【００１５】
切替手段であるリレー２は、商用交流電源１とスイッチング電源部６との間の電力供給路に設けられ、電力供給路の接続、切断を行うことにより、商用交流電源１からスイッチング電源部６への交流電圧の入力を制御する。リレー２の切替制御は、リレー駆動部９により行われる。リレー２の切替制御の指示は、制御部７のＲＬＤ端子からリレー駆動部９に出力されるＲＬＤ信号に応じて行われ、リレー駆動部９はＲＬＤ信号に基づいて、リレー２の切替制御を行う。リレー２は、動作電力の供給が停止した後もオン状態、又はオフ状態を保持するラッチングリレーであってもよい。
【００１６】
蓄電手段である蓄電部１０は、コンデンサ等を有し、コンデンサ等に充電することにより電荷を保持している。蓄電部１０には、スイッチング部５、及びサブ電源１２から電力が供給され、制御部７を動作させるための電圧ＶＤＤが制御部７のＶＤＤ端子に出力される。スイッチング部５から出力された電圧Ｖｃｃは、ダイオード１１を介して、蓄電部１０に入力される。ダイオード１１は、蓄電部１０からスイッチング部５へ電流が逆流することを防止するために設けられている。サブ電源１２は、商用交流電源１とリレー２との間の電力供給路に接続され、小電力を出力して蓄電部１０を充電する。蓄電部１０は、リレー２がオフ状態（切断状態）であれば、サブ電源１２から電力が供給される。一方、リレー２がオン状態（接続状態）で、スイッチング電源部６のスイッチング部５が電圧Ｖｃｃを出力していれば、スイッチング部５からも電力が供給される。
【００１７】
スイッチ１３は、スイッチング電源部６を起動、または停止させるためにユーザが操作するスイッチであり、起動又は停止を指示する指示部として機能する。スイッチ１３の状態は、ＳＷ端子を介して制御部７により検知される。なお、本実施例では、ＳＷ端子には、スイッチ１３を押下している状態ではオン（ＯＮ）レベルが入力され、押下していない状態では、オフ（ＯＦＦ）レベルが入力されるものとする。制御部７は、スイッチ１３の操作を検知すると、電源装置１００をスイッチング電源部６が電圧Ｖｃｃを出力する通常状態であるオン状態、又はスイッチング電源部６が動作を停止する省電力状態であるオフ状態に制御する。なお、電源装置１００がオン状態であれば、制御部７は、スイッチ１３の操作によってオフ状態に遷移する前に、スイッチング電源部６を、負荷への電力供給量が低減された低消費電力状態であるオフ待ち状態となるように制御する。制御部７は、オフ待ち状態で所定時間が経過したことを検知すると、リレー駆動部９を介してリレー２をオフ（切断）することにより、商用交流電源１とスイッチング電源部６との間の電力供給を遮断し、電源装置１００を省電力状態であるオフ状態にする。
【００１８】
［電圧出力停止時間とリレーオフ待ち時間］
図２（ａ）は、図１で示した電源装置１００のメモリ８に記憶されているデータの構成例を説明する図である。図２（ａ）に示すデータは、入力電圧Ｖａｃ、Ｖｃｃ出力停止時間Ｔｏｆｆ（以下、時間Ｔｏｆｆともいう）、リレーＯＦＦ待ち時間Ｔｄｌｙ（以下、時間Ｔｄｌｙともいう）から構成されたテーブルである。入力電圧Ｖａｃ（単位：Ｖ）は、商用交流電源１からの入力電圧値を示す。時間Ｔｏｆｆ（単位：ｓｅｃ（秒））は、制御部７によりリレー駆動部９を介してリレー２がオフされてから、スイッチング部５の出力電圧Ｖｃｃが所定の電圧に低下するまでの時間を示す。時間Ｔｄｌｙ（第一の時間）は、スイッチ１３の操作によって電源装置１００をオフ状態に遷移する前に、スイッチング電源部６を低消費電力状態のオフ待ち状態で維持する時間を示す。待ち時間Ｔｄｌｙは、低消費電力状態のオフ待ち状態における消費電力が、リレー２をオフした状態（ＯＦＦ電力状態）の所定の時間（例えば１時間）における電源装置１００の消費電力量と等しくなる時間を示す。
【００１９】
図２（ａ）に示すデータは、電源装置１００の調整時に測定され、メモリ８に設定される。例えば、電源装置１００の調整時に、商用交流電源１から入力される入力電圧Ｖａｃを、例えば８５Ｖに設定した状態で電源装置１００を動作させて、スイッチング部５からは電圧Ｖｃｃが出力されている状態にする。制御部７は、この状態から、リレー２をオン状態（接続状態）からオフ状態（切断状態）にするとともに、タイマ７ａをリセットし、スタートさせる。そして、第二の検知手段である制御部７は、ＩＮ端子に入力される電圧Ｖｃｃの電圧値が、スイッチング部５の電圧出力が停止したことを示す所定の電圧以下に低下したことを検知すると、タイマ７ａを停止する。そして、制御部７は、タイマ７ａよりタイマ値（例えば７０ｓｅｃ）を読み出し、読み出したタイマ値を時間Ｔｏｆｆとして、入力電圧Ｖａｃとともに、メモリ８のテーブルに設定する。
【００２０】
また、ＯＦＦ待ち状態での消費電力と、リレー２のオフ状態での単位時間あたりの平均消費電力とが所定の電力以下となるようにリレー２をオフするまでの待ち時間Ｔｄｌｙを１２０ｓｅｃとして、メモリ８に設定する。更に、商用交流電源１からの入力電圧Ｖａｃが１４０Ｖの場合についても同様に測定を行い、測定結果に基づいて、時間Ｔｏｆｆに１１５ｓｅｃ、時間Ｔｄｌｙに７３ｓｅｃが、メモリ８に設定される。なお、リレーＯＦＦ待ち時間Ｔｄｌｙは、予め電源装置１００の調整時に消費電力を測定しておき、低消費電力状態のＯＦＦ待ち状態とリレー２のＯＦＦ後のＯＦＦ状態の平均電力が、所定の電力以下となるように算出する方法でもよい。時間の算出方法については、特に限定しない。
【００２１】
次に、電源装置１００の動作中に、制御部７が商用交流電源１の入力電圧Ｖａｃに応じて、リレー２をオフするまでのオフ待ち時間Ｔｄｌｙを決定する方法について、図２（ｂ）を用いて説明する。図２（ｂ）は、図２（ａ）に示すデータを図示したものであり、横軸は入力電圧Ｖａｃ（単位：ｖ）を示し、左側の縦軸は時間Ｔｏｆｆ（単位：ｓｅｃ（秒））を示し、右側の縦軸は時間Ｔｄｌｙ（単位：ｓｅｃ（秒））を示す。図中、丸印のプロットは、入力電圧Ｖａｃに対する時間Ｔｏｆｆの関係を示し、入力電圧Ｖａｃが８５Ｖ、１４０Ｖの場合の時間Ｔｏｆｆは、それぞれ７０ｓｅｃ、１１５ｓｅｃであることを示している。また、丸印の２つのプロットを結ぶ直線は、入力電圧Ｖａｃと時間Ｔｏｆｆとの対応関係を示している。一方、正方形のプロットは、入力電圧Ｖａｃに対する時間Ｔｄｌｙの関係を示し、入力電圧Ｖａｃが８５Ｖ、１４０Ｖの場合の時間Ｔｄｌｙは、それぞれ１２０ｓｅｃ、７３ｓｅｃであることを示している。また、正方形の２つのプロットを結ぶ直線は、入力電圧Ｖａｃと時間Ｔｄｌｙの対応関係を示している。
【００２２】
商用交流電源１から電源装置１００に電力が供給されると、制御部７が起動され、電源装置１００は、電圧Ｖｃｃが出力されていない電源オフ状態となる。その後、スイッチ１３の操作により、リレー２が接続されて、スイッチング電源部６が動作し、電圧Ｖｃｃを出力している通常状態（電源オン状態）となる。そして、スイッチ１３の操作によって、電源装置１００を初めて通常状態から電源オフ状態に遷移させる場合には、制御部７は次のような動作を行う。即ち、制御部７は、リレー駆動部９を介してリレー２をオフすると、商用交流電源１との電力供給路が切断され、スイッチング電源部６への電力供給が停止される。その結果、平滑コンデンサ４の電位が低下し、これに伴い、電圧Ｖｃｃの電圧値が低下し、スイッチング電源部６のスイッチング部５の動作が停止する。制御部７は、リレー２をオフするとともに、タイマ７ａによる時間計測を開始し、ＩＮ端子に入力される電圧Ｖｃｃが所定電圧以下に低下したことを検知すると、タイマ７ａを停止する。そして、制御部７は、そのときのタイマ値を読み出し、読み出したタイマ値を時間Ｔｏｆｆとしてメモリ８に保存する。例えば、このときの時間Ｔｏｆｆが９０ｓｅｃであった場合には、図２（ｂ）において、時間Ｔｏｆｆが９０ｓｅｃの点線と、入力電圧Ｖａｃと時間Ｔｏｆｆとの対応関係を示す直線とが交差する点の入力電圧Ｖａｃが、商用交流電源１の入力電圧Ｖａｃとなる。これにより、制御部７は、時間Ｔｏｆｆが９０ｓｅｃの場合の入力電圧Ｖａｃは約１１０［Ｖ］であると判断する。そして、この場合、制御部７は、入力電圧Ｖａｃが１１０Ｖのときに、入力電圧Ｖａｃと時間Ｔｄｌｙとの対応関係を示す直線とが交差する点の時間Ｔｄｌｙが、約１００ｓｅｃであると判断する。
【００２３】
ここでは、図２（ｂ）に示すグラフに基づいて、入力電圧Ｖａｃ、時間Ｔｄｌｙを算出する方法について説明したが、図２（ａ）に示すデータに基づく近似式により、入力電圧Ｖａｃ、時間Ｔｄｌｙを求めてもよい。例えば、制御部７は、商用交流電源１からの入力電圧Ｖａｃを求めるために、図２（ａ）のデータに基づいて入力電圧Ｖａｃを算出する近似式（１）を用いて、入力電圧Ｖａｃを求めてもよい。
入力電圧Ｖａｃ≒１．２２×時間Ｔｏｆｆ−０．５６      （１）
【００２４】
更に、リレー２をＯＦＦするまでの待ち時間Ｔｄｌｙについても、図２（ａ）のデータに基づいて、時間Ｔｄｌｙを算出する近似式（２）を用いて、時間Ｔｄｌｙを求めてもよい。
時間Ｔｄｌｙ≒−０．８５×入力電圧Ｖａｃ＋１９３      （２）
【００２５】
また、予めメモリ８に近似式の数値や、複数の入力電圧Ｖａｃに対応した時間Ｔｄｌｙのデータを数値テーブルとして設定しておき、算出の際に、必要に応じて用いてもよい。
【００２６】
［出力停止時間の計測］
図３は、上述したスイッチング部５の出力電圧Ｖｃｃが所定の電圧以下に低下するまでの時間Ｔｏｆｆを算出するための制御シーケンスを示すフローチャートであり、制御部７により実行される。図３は、商用交流電源１から電源装置１００に電力供給され、スイッチ１３の操作により、リレー２がオン（接続）されて、商用交流電源１からの電力供給により、スイッチング電源部６が動作し、電圧Ｖｃｃを出力している通常状態となると、起動される。
【００２７】
ステップ（以下、Ｓとする）１００では、制御部７は、ＳＷ端子に入力されるスイッチ１３の状態を示す信号レベルに基づいて、スイッチ１３が操作されたかどうかを判断する。制御部７は、スイッチ１３が操作されたと判断した場合には、処理をＳ１０１に進め、スイッチ１３は操作されていないと判断した場合には、処理をＳ１００に戻す。Ｓ１０１では、制御部７は、ＲＬＤ端子からリレー２をオフするＲＬＤ信号を出力し、リレー駆動部９を介して、リレー２をオン状態（接続状態）からオフ（ＯＦＦ）状態（切断状態）に切り替える。これにより、商用交流電源１からのスイッチング電源部６への電力供給が遮断される。Ｓ１０２では、制御部７は、電圧Ｖｃｃが所定の電圧以下に低下するまでのＶｃｃ出力停止時間である時間Ｔｏｆｆの計測を開始するため、タイマ７ａをリセットし、スタートさせる。
【００２８】
Ｓ１０３では、制御部７は、スイッチング部５から出力され、ＩＮ端子に入力される電圧Ｖｃｃの電圧値を検知し、所定の電圧以下に低下したかどうかを判断する。制御部７は、電圧Ｖｃｃが所定の電圧以下に低下したと判断した場合には、処理をＳ１０４に進め、所定の電圧以下に低下していないと判断した場合には、処理をＳ１０５に進める。Ｓ１０４では、制御部７は、タイマ７ａを停止させて、時間Ｔｏｆｆの計測を停止し、タイマ７ａよりタイマ値を読み出し、メモリ８に時間Ｔｏｆｆとして、読み出したタイマ値を格納し、処理を終了する。このように、制御部７は、ＩＮ端子に入力される電圧Ｖｃｃの検知結果と、タイマ７ａの計測結果に基づいて、時間Ｔｏｆｆを取得する。
【００２９】
Ｓ１０５では、制御部７は、ＳＷ端子に入力されるスイッチ１３の状態を示す信号レベルに基づいて、スイッチ１３が操作されたかどうかを判断する。制御部７は、スイッチ１３が操作されたと判断した場合には、処理をＳ１０６に進め、スイッチ１３は操作されていないと判断した場合には、処理をＳ１０３に戻す。Ｓ１０６では、制御部７は、スイッチング電源部６が電圧Ｖｃｃの出力を停止している電源オフ（ＯＦＦ）状態から、電圧Ｖｃｃを出力している通常状態へ遷移させる処理を行う。即ち、制御部７は、タイマ７ａを停止させて、時間Ｔｏｆｆの計測を停止するとともに、ＲＬＤ端子からリレー２をオンするＲＬＤ信号を出力し、リレー駆動部９を介して、リレー２をオフ状態（切断状態）からオン状態（接続状態）に切り替える。これにより、商用交流電源１からのスイッチング電源部６への電力供給が再開され、スイッチング電源部６はスイッチング動作を再開する。そして、制御部７は、処理をＳ１００に戻す。
【００３０】
［電源装置の制御］
図４は、図３で示した制御部７による時間Ｔｏｆｆの計測処理が行われ、その後、スイッチ１３の操作によりリレー２がオンされ、電源装置１００が通常状態に遷移した後に起動され、制御部７により実行される制御シーケンスのフローチャートである。Ｓ２００では、制御部７は、リレー２がオンされ、スイッチング電源部６が動作している通常状態で、ＳＷ端子に入力されるスイッチ１３の状態を示す信号レベルに基づいて、スイッチ１３が操作されたかどうかを判断する。制御部７は、スイッチ１３が操作されたと判断した場合には、処理をＳ２０１に進め、スイッチ１３は操作されていないと判断した場合には、処理をＳ２００に戻す。Ｓ２０１では、制御部７は、スイッチング電源部６を、通常状態から電力供給される負荷が低消費電力状態であるリレー２のオフ（ＯＦＦ）待ち状態へ遷移する処理を行う。
【００３１】
Ｓ２０２では、制御部７は、図２（ｂ）を用いて説明した方法により、リレー２のオフ（ＯＦＦ）待ち時間Ｔｄｌｙを算出する。即ち、制御部７は、メモリ８に保存した時間Ｔｏｆｆと、メモリ８に格納されたテーブルデータに基づいて、時間Ｔｏｆｆに対応する入力電圧Ｖａｃを算出し、算出された入力電圧Ｖａｃに対応する時間Ｔｄｌｙを算出する。そして、制御部７は、算出されたリレーオフ待ち時間である時間Ｔｄｌｙをタイマ７ａに設定した後、タイマ７ａをスタートさせる。なお、ここでは、タイマ７ａは時間の経過に伴い、設定された時間を減算する方式とする。
【００３２】
Ｓ２０３では、制御部７は、タイマ７ａのタイマ値を参照して、リレーオフ（ＯＦＦ）待ち時間Ｔｄｌｙが経過したかどうか、即ちタイマ値が０かどうかを判断する。制御部７は、タイマ値が０となり、時間Ｔｄｌｙが経過したと判断した場合には、処理をＳ２０４に進め、タイマ値が０でない場合には、処理をＳ２０５に進める。Ｓ２０５では、制御部７は、ＳＷ端子に入力されるスイッチ１３の状態を示す信号レベルに基づいて、スイッチ１３が操作されたかどうかを判断する。制御部７は、スイッチ１３が操作されたと判断した場合には、処理をＳ２０６に進め、スイッチ１３は操作されていないと判断した場合には、処理をＳ２０３に戻す。Ｓ２０６では、制御部７は、スイッチング電源部６を、低消費電力状態であるリレー２のオフ（ＯＦＦ）待ち状態から、通常状態へ遷移する処理を行い、処理をＳ２００へ戻す。
【００３３】
Ｓ２０４では、制御部７は、リレーオフ（ＯＦＦ）待ち時間Ｔｄｌｙが経過したので、ＲＬＤ端子からリレー２をオフするＲＬＤ信号を出力し、リレー駆動部９を介して、リレー２をオン状態（接続状態）からオフ状態（切断状態）に切り替える。これにより、商用交流電源１からのスイッチング電源部６への電力供給が遮断され、スイッチング電源部６からの電圧Ｖｃｃの出力が停止される。Ｓ２０７では、制御部７は、ＳＷ端子に入力されるスイッチ１３の状態を示す信号レベルに基づいて、スイッチ１３が操作されたかどうかを判断する。制御部７は、スイッチ１３が操作されたと判断した場合には、処理をＳ２０８に進め、スイッチ１３は操作されていないと判断した場合には、処理をＳ２０７に戻す。Ｓ２０８では、制御部７は、スイッチング電源部６が電圧Ｖｃｃの出力を停止しているオフ（ＯＦＦ）状態から、電圧Ｖｃｃを出力している通常状態へ遷移させる処理を行う。即ち、制御部７は、ＲＬＤ端子からリレー２をオンするＲＬＤ信号を出力し、リレー駆動部９を介して、リレー２をオフ状態（切断状態）からオン状態（接続状態）に切り替える。これにより、商用交流電源１からのスイッチング電源部６への電力供給が再開され、その後、スイッチング電源部６は電圧Ｖｃｃを出力する通常状態となる。そして、制御部７は、処理をＳ２００に戻す。
【００３４】
なお、図４では、リレーオフ待ち時間Ｔｄｌｙの経過を判断する場合に、タイマ７ａのタイマ値が０かどうかで判断したが、次のような方法でもよい。即ち、タイマ７ａをリセットして、スタートさせ、タイマ７ａのタイマ値がリレーオフ待ち時間Ｔｄｌｙと等しくなったことを検知すると、リレーオフ待ち時間Ｔｄｌｙが経過したと判断してもよい。
【００３５】
［電源装置の制御の遷移］
図５は、図３、図４のフローチャートで説明した制御部７の動作をタイムチャートで表した図である。図５において、（ａ）は、状態遷移イベントであるスイッチ１３の状態を示す図であり、ＯＦＦはスイッチ１３が操作されていない状態を、ＯＮはスイッチ１３が押下されている状態を示す。本実施例では、制御部７は、スイッチ１３が押下された状態（図中、ＯＮ）からスイッチ１３を押下していない状態（図中、ＯＦＦ）に変化したときに、スイッチ１３が操作されたことを検知する。（ｂ）は、リレー２の状態を示す図であり、ＯＮは、リレー２がオン状態（接続状態）で、商用交流電源１からスイッチング電源部６に電力が供給されている状態を示す。一方、ＯＦＦは、リレー２がオフ状態（切断状態）で、商用交流電源１からスイッチング電源部６への電力供給が遮断されている状態を示す。（ｃ）は、スイッチング部５の出力電圧の状態を示す図であり、電圧Ｖｃｃは電源装置１００が通常状態のときに出力される電圧であり、電圧Ｖｔｈは、スイッチング部５の動作が停止し、電圧出力が停止していると判断する場合の閾値である電圧を示す。（ｄ）は、電源装置１００の状態を示しており、第二の状態である通常電力は、スイッチング電源部６から電圧Ｖｃｃが出力されている状態を示し、第一の状態である低消費電力は、リレー２のオフ待ち状態である低消費電力状態を示す。更に、第三の状態であるＯＦＦ電力は、リレー２がオフされ、スイッチング電源部６が動作を停止している状態を示す。なお、横軸はいずれも時間を示し、ｔ０〜ｔ１６は、時刻を示す。
【００３６】
時刻ｔ０〜時刻ｔ３では、制御部７は、通常状態から、リレー駆動部９を介してリレー２をオフし、ＩＮ端子に入力される電圧Ｖｃｃが所定の電圧Ｖｔｈまで低下したことを検知し、スイッチング電源部６が出力停止するまでの時間Ｔｏｆｆを決定する。時刻ｔ０〜時刻ｔ３における制御部７の動作は、前述した図３に示す制御シーケンスに対応する。時刻ｔ４〜時刻ｔ６では、制御部７は、スイッチ１３の操作を検知し、リレー２をオンし、電源装置１００をＯＦＦ電力状態から通常電力状態に遷移させる。
【００３７】
時刻ｔ７〜時刻ｔ１０では、制御部７は、スイッチ１３の操作を検知すると、オフ（ＯＦＦ）待ち時間Ｔｄｌｙ（時刻ｔ８〜時刻ｔ９）の間、低消費電力状態を維持する。そして、制御部７は、オフ（ＯＦＦ）待ち時間Ｔｄｌｙが経過すると、リレー２をオフし、ＯＦＦ電力状態である電源オフ（ＯＦＦ）状態に遷移させる。時刻ｔ７〜時刻ｔ１０における制御部７の動作は、前述した図４のＳ２０１〜Ｓ２０４の処理に対応する。時刻ｔ１０〜時刻ｔ１３では、制御部７は、スイッチ１３の操作を検知すると、リレー２をオンし、電源装置１００をＯＦＦ電力状態から通常電力状態に遷移させる。時刻ｔ１０〜時刻ｔ１２における制御部７の動作は、前述した図４のＳ２０７、Ｓ２０８の処理に対応する。時刻ｔ１４〜時刻ｔ１６では、制御部７はスイッチ１３の操作を検知すると、オフ待ち時間Ｔｄｌｙの間、低消費電力状態を維持し、オフ待ち時間Ｔｄｌｙが経過する前の時刻ｔ１６にスイッチ１３の操作を検知し、電源装置１００を通常電力状態に遷移させる。時刻ｔ１４〜時刻ｔ１６における制御部７の動作は、前述した図４のＳ２０１〜Ｓ２０６の処理に対応する。
【００３８】
時刻ｔ０では、リレー２がＯＮ状態でスイッチング電源部６が動作し、電圧Ｖｃｃが出力されている通常状態である。時刻ｔ１で、制御部７は、スイッチ１３が操作（ＯＮ操作）され、電源装置１００を電源オフ状態へ遷移させるスイッチ操作を検知すると、時刻ｔ２で、リレー２をオフする。これにより、商用交流電源１からスイッチング電源部６への電力供給が遮断され、電源装置１００は、通常電力状態から制御部７のみが電力を消費するＯＦＦ電力状態に遷移する。商用交流電源１からの電力供給が遮断されるため、スイッチング電源部６から出力される電圧Ｖｃｃの電圧値は、時刻ｔ３で閾値である電圧Ｖｔｈまで低下する。制御部７は、リレー２をオフしてから出力電圧が電圧Ｖｔｈに低下するまでの時間、即ち時刻ｔ２から時刻ｔ３までの時間を時間Ｔｏｆｆ（第二の時間）としてメモリ８に保存する。時刻ｔ３以降、スイッチング電源部６から出力される電圧Ｖｃｃの電圧値は電圧Ｖｔｈから０Ｖへと低下する。
【００３９】
時刻ｔ４で、制御部７は、スイッチ１３が操作（ＯＮ操作）され、電源装置１００を電源オン状態へ遷移させるスイッチ操作を検知すると、時刻ｔ５で、リレー２をオンする。これにより、商用交流電源１からスイッチング電源部６への電力供給路が接続され、スイッチング電源部６への電力供給が再開され、電源装置１００は、ＯＦＦ電力状態から通常電力状態へ遷移する。時刻ｔ５以降は、スイッチング電源部６の平滑コンデンサ４が充電されて、スイッチング部５が直流電圧を出力し、時刻ｔ６で出力電圧値は、電圧Ｖｃｃで安定する。電源装置１００がＯＦＦ電力状態から出力電圧が電圧Ｖｃｃで安定する時刻ｔ４〜時刻ｔ６までの時間が、スイッチ１３の操作を検知してからリレー２をオンし、リレー２の接点が安定しスイッチング電源部６の出力電圧が安定するまでの安定待ち時間となる。即ち、一旦、リレー２がオフ状態となり、スイッチング電源部６が電圧出力を停止した後は、再度、電源装置１００を通常状態に遷移させるまでに、時刻ｔ４〜時刻ｔ６までの時間が必要となる。
【００４０】
時刻ｔ７で、制御部７は、スイッチ１３が操作（ＯＮ操作）され、電源オフ状態へ遷移させるスイッチ操作を検知すると、時刻ｔ８で電源装置１００を低消費電力状態に遷移させる。そして、制御部７は、リレー２をオフするまでの待ち時間Ｔｄｌｙが経過する時刻ｔ９まで、電源装置１００を低消費電力状態に維持する。時刻ｔ９になると、制御部７は、リレー２をオフする。これにより、電源装置１００は、通常電力状態から制御部７のみが電力を消費するＯＦＦ電力状態に遷移する。商用交流電源１からの電力供給が遮断されるため、スイッチング電源部６から出力される電圧Ｖｃｃの電圧値は、時刻ｔ９から時間Ｔｏｆｆが経過した時刻ｔ１０で電圧Ｖｔｈまで低下する。時刻ｔ１０以降、スイッチング電源部６から出力される電圧Ｖｃｃの電圧値は電圧Ｖｔｈから０Ｖへと低下する。
【００４１】
時刻ｔ１１で、制御部７は、スイッチ１３が操作（ＯＮ操作）され、電源装置１００を電源オン状態へ遷移させるスイッチ操作を検知すると、時刻ｔ１２で、リレー２をオンする。これにより、商用交流電源１からスイッチング電源部６への電力供給が再開され、電源装置１００は、ＯＦＦ電力状態から通常電力状態へ遷移する。時刻ｔ１２以降は、スイッチング電源部６の平滑コンデンサ４が充電されて、スイッチング部５が直流電圧を出力し、時刻ｔ１３で出力電圧値は、電圧Ｖｃｃで安定する。一旦、リレー２がオフ状態となりスイッチング電源部６が動作を停止すると、電源装置１００がＯＦＦ電力状態から電圧Ｖｃｃが安定するまでの時刻ｔ１１〜時刻ｔ１３までの安定待ち時間が必要となる。
【００４２】
時刻ｔ１４で、制御部７は、スイッチ１３が操作（ＯＮ操作）され、電源オフ状態へ遷移させるスイッチ操作を検知すると、時刻ｔ１５で電源装置１００を低消費電力状態に遷移させる。そして、制御部７は、リレー２をオフするまでの待ち時間Ｔｄｌｙが経過する時刻まで、電源装置１００を低消費電力状態に維持する。時刻ｔ１６で、制御部７は、スイッチ１３が操作（ＯＮ操作）され、電源装置１００を電源オン状態へ遷移させるスイッチ操作を検知すると、リレー２はオン状態で、電源装置１００は低消費電力状態であるため、通常状態へ遷移させる。時刻ｔ１６の場合には、リレー２がオン状態であるため、前述した時刻ｔ４、ｔ１１の場合のような、スイッチ１３の操作を検知してから、リレー２の接点が安定し、スイッチング電源部６の出力電圧が安定するまでの安定待ち時間は無しとなる。一方、本実施例のようなリレー２のオフ待ち状態がない場合は、リレー２をオフすることによりスイッチング電源部６が動作を停止すると、電源装置１００が通常電力状態に遷移するまで、次のような時間が必要となる。即ち、リレー２をオフ状態からオンするために、常にリレー２のオン制御とスイッチング電源部６からの出力である電圧Ｖｃｃが安定するまでの時間が必要となる。また、通常状態への遷移イベントが発生する度に、リレー２をオン状態に切り替える必要があり、本実施例の場合と比べて、リレーの駆動回数が多くなる。
【００４３】
上述したように、本実施例では、電源オフ状態へ遷移するスイッチ操作を検知した場合には、低消費電力状態のまま、リレーを切断するタイミングを遅延させている。これにより、電源オフ状態に遷移するスイッチ操作の直後に、通常状態へ遷移するスイッチ操作が行われた場合でも、リレーを経由して商用交流電源がスイッチング電源に接続されていることから、次のような効果を奏することができる。即ち、リレーのＯＮ制御及びリレーが安定するまでの待ち時間、更にスイッチング電源部の平滑コンデンサへの充電と出力電圧の安定待ち時間が不要となり、電源装置を短時間で通常状態へ遷移することができる。その結果、電源装置を通常状態へ遷移させるスイッチ操作が発生する度に、リレーをオン状態に切り替える頻度が低下するため、リレーをオンする際に流れる電流によるリレー内部の劣化も軽減することができる。
【００４４】
ところで、本実施例の電源装置１００は、商用交流電源１の入力電圧Ｖａｃを検知する電圧検知手段を有していない。そのため、制御部７は、図３に示す制御シーケンスにより求めた時間Ｔｏｆｆと、メモリ８に格納されたテーブルデータに基づいて、入力電圧Ｖａｃを算出する。例えば、電源装置１００が商用交流電源１の入力電圧Ｖａｃを検知する電圧検知手段（第一の検知手段）を有している場合には、制御部７は、電圧検知手段を介して、入力電圧Ｖａｃを取得することにより、図３に示す制御シーケンスを実施する必要がなくなる。そのため、スイッチ１３の操作により電源装置１００をオフ状態に遷移させる場合には、制御部７は検知された入力電圧Ｖａｃと、メモリ８に格納された入力電圧Ｖａｃと時間Ｔｄｌｙとの対応関係を示すデータに基づいて、時間Ｔｄｌｙを決定することができる。その結果、制御部７は、電源装置１００をオフ状態に遷移させる場合には、オン状態からオフ状態に遷移させる前に、常に電源装置１００をリレーオフ待ち状態の低消費電力状態に遷移させることができる。
【００４５】
なお、本実施例では電源装置の起動又は停止を指示するための指示部として、ユーザが操作するスイッチ１３を挙げて説明した。しかしスイッチ１３とは別に、指示部としては外部装置（例：コンピュータ）からの指示信号によって指示する構成であってもよい。また、ＣＰＵ内のタイマに設定された時間をカウントしてゼロになったタイミングをトリガにしてもよい。
【００４６】
以上説明したように、本実施例によれば、省電力状態から通常状態へ短時間で遷移させることができる。
【実施例２】
【００４７】
実施例１では、商用交流電源１とスイッチング電源部６との間の電力供給路の接続、切断を行う切替手段として、リレーを用いたが、実施例２では、半導体素子である双方向サイリスタ（以下、トライアックという）を用いた例について説明する。
【００４８】
［電源装置の構成］
図６は、実施例２の電源装置１００の回路構成を表したブロック図であり、実施例１の図１と異なる点は、商用交流電源１とスイッチング電源部６とを接続・切断する回路の構成である。図６において、半導体素子のトライアック２０は、商用交流電源１とスイッチング電源部６のブリッジダイオード３との間に設けられた切替手段である。トライアック２０がオン状態（導通状態）となることで、商用交流電源１からの交流電圧がブリッジダイオード３に入力されることにより、スイッチング電源部６へ電力が供給され、その結果、スイッチング部５が電圧Ｖｃｃを出力する。一方、トライアック２０がオフ状態（非導通状態）となることで、商用交流電源１からスイッチング電源部６への電力供給が停止され、その結果、スイッチング部５が動作を停止して、電圧Ｖｃｃの出力が停止される。
【００４９】
トライアック駆動部２１は、トライアック２０のオン状態とオフ状態を切り替える駆動部であり、トライアック２０の切替制御は、トライアック駆動部２１により行われる。トライアック２０の切替制御の指示は、制御部７のＲＬＤ端子からトライアック駆動部２１に出力されるＲＬＤ信号に応じて行われ、トライアック駆動部２１はＲＬＤ信号に基づいて、トライアック２０の切替制御を行う。なお、電源装置１００のその他の構成については、実施例１と同様であり、同じ構成については実施例１と同じ符号を用いることで、ここでの説明を省略する。
【００５０】
トライアック駆動部２１は、蓄電部１０に接続されており、トライアック２０がオフ状態（非導通状態）でスイッチング電源部６がオフ状態であっても、蓄電部１０から電力が供給されており、トライアック２０の制御を行うことができる。また、トライアック駆動部２１には、サブ電源１２からも蓄電部１０を経由して電力が供給されるようにも構成されている。そのため、トライアック２０がオフ状態でスイッチング電源部６がオフ状態であっても、制御部７は、トライアック駆動部２１を介してトライアック２０を駆動することができる構成となっている。
【００５１】
以上、本実施例で説明したように、電源装置１００が通常状態で動作しているときに、電源オフ状態へ遷移させるスイッチ１３の操作を検知した場合、低消費電力状態のままで、トライアック２０のオフ状態を遅延させるオフ待ち状態とする。これにより、電源オフ状態に遷移させるスイッチ１３の操作を検知した直後に、電源装置１００を通常状態へ遷移させるスイッチ操作が発生した場合でも、トライアック２０はオン状態なので、素早く通常状態へ遷移することができる。なお、トライアック２０を用いた場合でも、実施例１の図３、図４に示す制御シーケンスは、リレー２に対する制御をトライアック２０に対する制御に置き換えることで、トライアック２０についても適用することができる。
【００５２】
以上説明したように、本実施例によれば、省電力状態から通常状態へ短時間で遷移させることができる。
【実施例３】
【００５３】
実施例３では、実施例１、２で説明した電源装置１００を画像形成装置の一例であるレーザビームプリンタ２００に適用した実施例について説明する。
【００５４】
［画像形成装置の構成］
図７は、実施例３のレーザビームプリンタ２００の概略断面図である。レーザビームプリンタ２００は、電源装置１００を備えており、電源装置１００には、画像形成装置のメインスイッチであるスイッチ１３が接続されている。スイッチ１３は、レーザビームプリンタ２００の電源スイッチであり、電源装置１００をＯＦＦ状態やＯＮ状態に遷移する際に操作する電源スイッチでもある。なお、電源装置１００は、実施例１の図１に示す構成を有するものとする。コントローラ２０１はレーザビームプリンタ２００を制御する制御部である。コントローラ２０１は、例えばＣＰＵであり、ＣＰＵの動作を制御する手順やデータを保持しているＲＯＭや、一時的に情報を保持するＲＡＭが一体となっているものや、個別に同等の機能を有する回路を接続したものである。また、コントローラ２０１は、例えば時間を計測するタイマ機能も含んだマイクロコンピュータ等であってもよい。
【００５５】
コントローラ２０１は、外部コンピュータ等からの印刷指示イベントを受信することによって、画像形成動作の制御を行う。コントローラ２０１は、印刷指示イベントを受信すると、給紙カセット２１３に積載された画像を記録する記録媒体である記録材をピックアップローラ２０３により搬送路に搬送し、記録材２０２の先端を揃えるレジストローラ２０４へ搬送する。画像形成手段である画像形成部２０５は、搬送された記録材２０２上に公知の電子写真プロセスにより画像を形成する。画像形成部２０５は、照射部２０５ａ、感光ドラム２０５ｂ、現像部２０５ｃ、転写部材２０５ｄから構成されている。照射部２０５ａは、電子写真プロセスにおける画像イメージを感光ドラム２０５ｂ上に潜像を形成し、現像部２０５ｃは感光ドラム２０５ｂ上の潜像にトナーを付着させ、トナー画像を形成する。転写部材２０５ｄは、レジストローラ２０４から搬送された記録材２０２上に、感光ドラム２０５ｂ上に形成されたトナー画像を転写する。
【００５６】
定着手段である定着部２０６は、記録材２０２上に転写されたトナー画像を加熱・加圧し、記録材２０２に定着させる。そして、定着部２０６を通過した記録材２０２は、排紙ローラ２０７によりレーザビームプリンタ２００の上部に設けられた、排出された記録材２０２を積載する排紙トレイ２０８に排出される。なお、ピックアップローラ２０３、レジストローラ２０４、排紙ローラ２０７は、記録材２０２を搬送する搬送手段を構成している。モータ２１０は、記録材２０２を搬送するピックアップローラ２０３、レジストローラ２０４や、画像形成部２０５の各部を駆動し、モータ２１１は、定着部２０６の各部を駆動する。モータ２１０、２１１は、電源装置１００からの電力供給により駆動される。
【００５７】
コントローラ２０１は、レーザビームプリンタ２００を、記録材２０２に画像形成を行う画像形成状態や、省電力状態であるスリープ状態にて動作可能なように、動作状態を遷移させる制御を行う。コントローラ２０１は、画像形成が行われない状態で所定の時間が経過するとスリープ状態に遷移させるため、電源装置１００をＯＦＦ状態に遷移させる自動ＯＦＦモードを有している。コントローラ２０１は、画像形成が行われない状態で所定の時間が経過すると、電源装置１００をＯＦＦ状態に遷移させるため、信号路２１４を介して、電源装置１００に、電源装置１００をＯＦＦ状態に遷移させる指示信号を出力する。更に、コントローラ２０１は、レーザビームプリンタ２００内の消費電力を低減するために、画像形成時に駆動される負荷、例えばモータ２１０、２１１、画像形成部２０５、定着部２０６の動作を停止させる。電源装置１００の制御部７は、コントローラ２０１からの指示信号に応じて、スイッチング電源部６を低消費電力状態に遷移させ、リレー２をオフ状態にするまでの待ち時間Ｔｄｌｙの間は、負荷に供給する電力を低減させ、低消費電力状態を維持する。そして、時間Ｔｄｌｙが経過すると、制御部７は、リレー２をオフし、スイッチング電源部６の動作を停止させて電源装置１００を電源オフ状態にし、レーザビームプリンタ２００をスリープ状態に遷移させる。これにより、画像形成装置であるレーザビームプリンタ２００内の消費電力を低減させることができる。
【００５８】
また、コントローラ２０１が電源装置１００にオフ状態へ遷移させる指示信号を出力し、電源装置１００がオフ状態に遷移するまでに、コントローラ２０１が画像形成動作を行う印刷指示を受信した場合には、本実施例では実施例１、２と同様の効果が得られる。即ち、本実施例では、電源装置１００を、リレー２をオフする前に、所定の時間である時間Ｔｄｌｙの間、低消費電力状態でリレー２のオフを遅延させるリレーオフ待ち状態としている。そのため、リレーオフ待ち状態の間に、コントローラ２０１が印刷指示を受信した場合には、電源装置１００は、リレー２をＯＦＦすることなく、スイッチング電源部６から電圧Ｖｃｃの出力を継続して通常状態へ遷移させることができる。その結果、リレーオフ待ち状態がなく、リレー２をオフ状態にする電源装置の場合と比べて、本実施例の場合には、レーザビームプリンタ２００を短時間で画像形成動作が可能な通常状態へ遷移させることができる。
【００５９】
以上説明したように、本実施例によれば、省電力状態から通常状態へ短時間で遷移させることができる。
【符号の説明】
【００６０】
１        商用交流電源
２        リレー
６        スイッチング電源部
７        制御部
１３      スイッチ
１００    電源装置
【図１】
0006659151.tif 000002
【図２】
0006659151.tif 000003
【図３】
0006659151.tif 000004
【図４】
0006659151.tif 000005
【図５】
0006659151.tif 000006
【図６】
0006659151.tif 000007
【図７】
0006659151.tif 000008